(57)【要約】【課題】妨害磁界発生用のコイルを小型化しても、妨害磁界発生装置から発生する騒音を抑制することが可能な妨害磁界発生装置を提供する。【解決手段】カードに記録された磁気データの不正な読取りを妨害するための磁界を発生させる妨害磁界発生装置１０は、磁性材料で形成されるコア１１と、コア１１に巻回される妨害磁界発生用のコイル１２とを備えている。コア１１は、別体で形成される複数のコア分割体２１〜２５を備えており、複数のコア分割体２１〜２５は、一体化されている。【選択図】図４
2019175528.tif 000002
【特許請求の範囲】
【請求項１】
カードリーダで使用され、カードに記録された磁気データの不正な読取りを妨害するための磁界を発生させる妨害磁界発生装置において、
磁性材料で形成されるコアと、前記コアに巻回される妨害磁界発生用のコイルとを備え、
前記コアは、別体で形成される複数のコア分割体を備え、
複数の前記コア分割体は、一体化されていることを特徴とする妨害磁界発生装置。
【請求項２】
複数の前記コア分割体は、接着剤で固定されて一体化されていることを特徴とする請求項１記載の妨害磁界発生装置。
【請求項３】
前記コア分割体として、直線の棒状に形成される第１コア分割体と、直線の棒状に形成され前記第１コア分割体と平行に配置される第２コア分割体と、直線の棒状に形成され前記第１コア分割体と平行に配置される第３コア分割体と、直線の棒状に形成され前記第１コア分割体と平行に配置される第４コア分割体と、直線の棒状に形成され前記第１コア分割体の一端部、前記第２コア分割体の一端部、前記第３コア分割体の一端部および前記第４コア分割体の一端部が固定される連結コア分割体とを備え、
前記第１コア分割体、前記第２コア分割体、前記第３コア分割体および前記第４コア分割体のそれぞれに前記コイルが巻回されていることを特徴とする請求項１または２記載の妨害磁界発生装置。
【請求項４】
前記コアおよび前記コイルが収容されるケース体と、前記ケース体の内部に充填され前記コアおよび前記コイルを覆う樹脂封止部材とを備えることを特徴とする請求項１から３のいずれかに記載の妨害磁界発生装置。
【請求項５】
前記コアおよび前記コイルは、前記ケース体の内側面に接触しないように前記ケース体の内側面から離れており、
前記コアおよび前記コイルと、前記ケース体の内側面との間には、前記樹脂封止部材の一部が配置されていることを特徴とする請求項４記載の妨害磁界発生装置。
【請求項６】
前記ケース体に収容されるとともに前記コイルが電気的に接続される回路基板を備え、
前記コイルは、前記回路基板に固定されていることを特徴とする請求項４または５記載の妨害磁界発生装置。
【請求項７】
前記ケース体には、前記回路基板を支持する基板支持部が形成され、
前記コアおよび前記コイルは、前記ケース体の内側面に接触しないように前記ケース体の内側面から離れていることを特徴とする請求項６記載の妨害磁界発生装置。
【請求項８】
請求項１から７のいずれかに記載の妨害磁界発生装置を備えることを特徴とするカードリーダ。
【発明の詳細な説明】
【技術分野】
【０００１】
本発明は、カードリーダで使用される妨害磁界発生装置に関する。また、本発明は、この妨害磁界発生装置を備えるカードリーダに関する。
【背景技術】
【０００２】
従来、カードに記録された磁気データを不正に読み取るスキミングを阻止するために、カードリーダで使用される妨害磁界発生装置が知られている（たとえば、特許文献１参照）。特許文献１に記載の妨害磁界発生装置は、カードに記録された磁気データの不正な読取りを妨害するための磁界を発生させる。この妨害磁界発生装置は、カード挿入口が形成されるカード挿入部の内部に配置されている。また、この妨害磁界発生装置は、コアと、ボビンを介してコアに巻回される妨害磁界発生用のコイルとを備えている。コイルには、交流が供給されている。
【０００３】
特許文献１に記載の妨害磁界発生装置では、コアは、たとえば、棒状の第１コア部分と、第１コア部分と平行に配置される棒状の第２コア部分と、第１コア部分と平行に配置される棒状の第３コア部分と、第１コア部分と平行に配置される棒状の第４コア部分と、第１〜第４コア部分の一端が繋がる棒状の連結コア部分とから構成されている。第１コア部分〜第４コア部分には、コイルが巻回されている。
【０００４】
また、特許文献１に記載の妨害磁界発生装置では、第１コア部分と第２コア部分と第３コア部分と第４コア部分と連結コア部分とは一体になっている。すなわち、コアは、一体で形成されている。そのため、特許文献１に記載の妨害磁界発生装置では、コイルが発生させる磁束の、コアからの漏れを抑制して、より強い妨害磁界を発生させることが可能となっている。
【先行技術文献】
【特許文献】
【０００５】
【特許文献１】国際公開第２０１５／１３３５６７号
【発明の概要】
【発明が解決しようとする課題】
【０００６】
上述のように、特許文献１に記載の妨害磁界発生装置は、カード挿入部の内部に配置されている。カード挿入口が形成されるカード挿入部の内部において、妨害磁界発生装置が設置されるスペースとして使用できるスペースは限られているため、カード挿入部の内部に配置される妨害磁界発生装置を小型化する必要があり、妨害磁界発生用のコイルも小型化する必要がある。
【０００７】
一方で、コイルが小型化した妨害磁界発生装置から比較的強い妨害磁界を発生させようとして、比較的大きな交流をコイルに供給すると、コアが振動して妨害磁界発生装置から比較的大きな騒音が発生することが本願発明者の検討によって明らかになった。カードリーダのユーザは、カード挿入口にカードを挿入するとともにカード挿入口から排出されたカードを抜き取るため、カード挿入口が形成されるカード挿入部の内部の妨害磁界発生装置から比較的大きな騒音が発生すると、カードリーダのユーザに不快感を与えてしまう。
【０００８】
そこで、本発明の課題は、カードに記録された磁気データの不正な読取りを妨害するための磁界を発生させる妨害磁界発生装置において、妨害磁界発生用のコイルを小型化しても、妨害磁界発生装置から発生する騒音を抑制することが可能な妨害磁界発生装置を提供することにある。また、本発明の課題は、かかる妨害磁界発生装置を備えるカードリーダを提供することにある。
【課題を解決するための手段】
【０００９】
上記の課題を解決するため、本願発明者は種々の検討を行った。特に本願発明者は、コアの固有振動数に着目して種々の検討を行った。その結果、本願発明者は、別体で形成される複数のコア分割体にコアを分割することで、個々のコア分割体の固有振動数を高くして、個々のコア分割体の固有振動数を人間の可聴周波数帯域からずらすことが可能になることを知見するに至った。また、本願発明者は、人間の可聴周波数帯域から固有振動数をずらすことが可能な複数のコア分割体を一体化してコアを形成することで、コイルを小型化しても、妨害磁界発生装置から発生する騒音を抑制することが可能になることを知見するに至った。
【００１０】
本発明の妨害磁界発生装置は、かかる新たな知見に基づくものであり、カードリーダで使用され、カードに記録された磁気データの不正な読取りを妨害するための磁界を発生させる妨害磁界発生装置において、磁性材料で形成されるコアと、コアに巻回される妨害磁界発生用のコイルとを備え、コアは、別体で形成される複数のコア分割体を備え、複数のコア分割体は、一体化されていることを特徴とする。
【００１１】
本発明の妨害磁界発生装置では、コアは、別体で形成される複数のコア分割体を備えており、複数のコア分割体は、一体化されている。すなわち、本発明では、人間の可聴周波数帯域から固有振動数をずらすことが可能になる複数のコア分割体が一体化されてコアが形成されている。そのため、本発明では、妨害磁界発生用のコイルを小型化しても、妨害磁界発生装置から発生する騒音を抑制することが可能になる。
【００１２】
本発明において、たとえば、複数のコア分割体は、接着剤で固定されて一体化されている。
【００１３】
本発明において、妨害磁界発生装置は、コア分割体として、直線の棒状に形成される第１コア分割体と、直線の棒状に形成され第１コア分割体と平行に配置される第２コア分割体と、直線の棒状に形成され第１コア分割体と平行に配置される第３コア分割体と、直線の棒状に形成され第１コア分割体と平行に配置される第４コア分割体と、直線の棒状に形成され第１コア分割体の一端部、第２コア分割体の一端部、第３コア分割体の一端部および第４コア分割体の一端部が固定される連結コア分割体とを備え、第１コア分割体、第２コア分割体、第３コア分割体および第４コア分割体のそれぞれにコイルが巻回されていることが好ましい。このように構成すると、第１コア分割体、第２コア分割体、第３コア分割体、第４コア分割体および連結コア分割体が直線の棒状に形成されているため、コア分割体を容易に形成することが可能になる。
【００１４】
本発明において、妨害磁界発生装置は、コアおよびコイルが収容されるケース体と、ケース体の内部に充填されコアおよびコイルを覆う樹脂封止部材とを備えることが好ましい。このように構成すると、コアおよびコイルがケース体に収容されていない場合と比較して、カードリーダに取り付けられる前の妨害磁界発生装置の取り扱いが容易になる。また、このように構成すると、ケース体の内部に充填される樹脂封止部材によって、コアおよびコイルの防水性を確保することが可能になるとともに、コイルの放熱性を確保することが可能になる。
【００１５】
本発明において、コアおよびコイルは、ケース体の内側面に接触しないようにケース体の内側面から離れており、コアおよびコイルと、ケース体の内側面との間には、樹脂封止部材の一部が配置されていることが好ましい。このように構成すると、コアおよびコイルが、ケース体の内側面に接触しないようにケース体の内側面から離れているため、コアの振動がケース体に伝達されるのを抑制することが可能になる。したがって、妨害磁界発生装置から発生する騒音を効果的に抑制することが可能になる。また、このように構成すると、コアおよびコイルと、ケース体の内側面との間に配置される樹脂封止部材の一部によって、コアおよびコイルが、ケース体の内側面に接触していない状態を確実に維持することが可能になる。
【００１６】
本発明において、妨害磁界発生装置は、ケース体に収容されるとともにコイルが電気的に接続される回路基板を備え、コイルは、回路基板に固定されていることが好ましい。
このように構成すると、コア、コイルおよび回路基板をケース体に収容する際に、一体になっているコアとコイルと回路基板とをケース体に収容することが可能になる。したがって、コア、コイルおよび回路基板をケース体に収容する際の、コア、コイルおよび回路基板の取り扱いが容易になる。
【００１７】
本発明において、ケース体には、回路基板を支持する基板支持部が形成され、コアおよびコイルは、ケース体の内側面に接触しないようにケース体の内側面から離れていることが好ましい。すなわち、本発明において、ケース体に形成される基板支持部を利用して、コアおよびコイルがケース体の内側面に接触しないように、ケース体の内部にコアおよびコイルが配置されていることが好ましい。このように構成すると、コアの振動がケース体に伝達されるのを抑制することが可能になる。したがって、妨害磁界発生装置から発生する騒音を効果的に抑制することが可能になる。
【００１８】
本発明の妨害磁界発生装置は、カードリーダに用いることができる。このカードリーダでは、人間の可聴周波数帯域から固有振動数をずらすことが可能になる複数のコア分割体が一体化されてコアが形成されているため、妨害磁界発生用のコイルを小型化しても、妨害磁界発生装置から発生する騒音を抑制することが可能になる。
【発明の効果】
【００１９】
以上のように、本発明では、カードに記録された磁気データの不正な読取りを妨害するための磁界を発生させる妨害磁界発生装置において、妨害磁界発生用のコイルを小型化しても、妨害磁界発生装置から発生する騒音を抑制することが可能になる。
【図面の簡単な説明】
【００２０】
【図１】本発明の実施の形態にかかるカードリーダの前端側部分の構成を説明するための概略側面図である。
【図２】図１に示す妨害磁界発生装置の斜視図である。
【図３】図２に示す妨害磁界発生装置の断面図である。
【図４】図２に示す妨害磁界発生装置の分解斜視図である。
【図５】図４に示すコアの分解斜視図である。
【図６】本発明の他の実施の形態にかかるコアの構成を説明するための図である。
【発明を実施するための形態】
【００２１】
以下、図面を参照しながら、本発明の実施の形態を説明する。
【００２２】
（カードリーダの概略構成）
図１は、本発明の実施の形態にかかるカードリーダ１の前端側部分の構成を説明するための概略側面図である。
【００２３】
本形態のカードリーダ１は、カード２に記録された磁気データの読取りやカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。カードリーダ１は、カード２が挿入されるカード挿入口３が形成されるカード挿入部４と、本体部５とを備えている。カードリーダ１の内部には、カード挿入口３から挿入されたカード２が移動するカード移動路６が形成されている。
【００２４】
また、カードリーダ１は、カード２に記録された磁気データの読取りおよびカード２への磁気データの記録の少なくともいずれか一方を行う磁気ヘッド７と、カード２を搬送するための駆動ローラ８およびパッドローラ９とを備えている。さらに、カードリーダ１は、カード２に記録された磁気データの不正な読取りを妨害するための磁界を発生させる妨害磁界発生装置１０を備えている。すなわち、妨害磁界発生装置１０は、カードリーダ１で使用される。
【００２５】
本形態では、カード移動路６において、カード２は、図１に示すＸ方向へ移動する。また、カード挿入口３から挿入されたカード２は、Ｘ１方向側に移動してカードリーダ１の内部に取り込まれ、カード挿入口３から排出されるカード２は、Ｘ２方向側に移動する。また、Ｘ方向に直交する図１等のＺ方向は、カードリーダ１に取り込まれたカード２の厚さ方向であり、Ｘ方向とＺ方向とに直交する図１等のＹ方向は、カードリーダ１に取り込まれたカード２の幅方向である。
【００２６】
以下の説明では、Ｘ方向を「前後方向」とし、Ｙ方向を「左右方向」とし、Ｚ方向を「上下方向」とする。また、前後方向の一方側（図１等のＸ１方向側）を「後ろ」側とし、その反対側である図１等のＸ２方向側を「前」側とし、上下方向の一方側（図１等のＺ１方向側）を「上」側とし、その反対側である図１等のＺ２方向側を「下」側とする。
【００２７】
カード２は、たとえば、厚さが０．７〜０．８ｍｍ程度の略長方形状の塩化ビニール製のカードである。カード２の裏面には、磁気データが記録される磁気ストライプが形成されている。磁気ストライプは、略長方形状に形成されるカード２の長手方向に沿って形成されている。カード２は、カード２の裏面が下側を向いた状態で、かつ、カード２の長手方向が前後方向と略一致した状態で、カードリーダ１に挿入されて、カード移動路６で搬送される。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２８】
カード挿入部４は、本体部５の前端面に取り付けられている。また、カード挿入部４は、中空状に形成されている。妨害磁界発生装置１０は、中空状に形成されるカード挿入部４の内部に配置されている。本形態の妨害磁界発生装置１０は、カード移動路６の上側に配置されている。ただし、本形態の妨害磁界発生装置１０は、カード移動路６の下側に配置されていても良い。妨害磁界発生装置１０の具体的な構成については後述する。
【００２９】
磁気ヘッド７、駆動ローラ８およびパッドローラ９は、本体部５の内部に配置されている。磁気ヘッド７は、カード移動路６に下側から臨むように配置されている。また、磁気ヘッド７は、左右方向において、カード２の磁気ストライプが通過する位置に配置されている。駆動ローラ８には、ベルトやプーリ等の動力伝達機構を介してモータが連結されている。駆動ローラ８とパッドローラ９とは、上下方向で対向している。パッドローラ９は、駆動ローラ８に向かって付勢されている。カード２は、駆動ローラ８とパッドローラ９との間に挟まれた状態で搬送される。
【００３０】
（妨害磁界発生装置の構成）
図２は、図１に示す妨害磁界発生装置１０の斜視図である。図３は、図２に示す妨害磁界発生装置１０の断面図である。図４は、図２に示す妨害磁界発生装置１０の分解斜視図である。図５は、図４に示すコア１１の分解斜視図である。
【００３１】
妨害磁界発生装置１０は、磁性材料で形成されるコア１１と、コア１１に巻回される妨害磁界発生用のコイル（励磁用のコイル）１２とを備えている。また、妨害磁界発生装置１０は、コイル１２が電気的に接続される回路基板１３と、コア１１、コイル１２および回路基板１３が収容されるケース体１４と、ケース体１４の内部に充填される樹脂封止部材１５とを備えている。ケース体１４は、上面が開口する略直方体の箱状に形成されるケース本体１６と、ケース本体１６の上面の開口を塞ぐカバー１７とから構成されている。なお、図２、図４では、樹脂封止部材１５およびカバー１７の図示を省略している。
【００３２】
コア１１は、薄い磁性板が積層されて形成された積層コアである。コア１１は、別体で形成される複数のコア分割体２１〜２５を備えている。本形態のコア１１は、別体で形成される５個のコア分割体２１〜２５によって構成されている。５個のコア分割体２１〜２５は、一体化されている。すなわち、コア１１は、別体で形成される５個のコア分割体２１〜２５が一体化されることで形成されている。上述のように、コア１１は、薄い磁性板が積層されて形成された積層コアであるため、コア分割体２１〜２５も、薄い磁性板が積層されて形成された積層コアである。
【００３３】
コア分割体２１〜２５は、直線の棒状に形成されている。具体的には、コア分割体２１〜２５は、細長い略四角柱状に形成されている。コア分割体２１〜２４は、コア分割体２１〜２４の長手方向と前後方向とが一致するように配置されている。また、コア分割体２１〜２４は、左右方向に一定の間隔をあけた状態で配置されている。すなわち、コア分割体２２〜２４は、コア分割体２１と平行に配置されている。コア分割体２１〜２４は、左右方向の一方から他方に向かってこの順番で配置されている。
【００３４】
コア分割体２５は、コア分割体２５の長手方向と左右方向とが一致するように配置されている。コア分割体２１〜２４の一端部は、コア分割体２５に固定されている。具体的には、コア分割体２１〜２４の後端部２１ａ〜２４ａがコア分割体２５に固定されている。本形態のコア分割体２１は、第１コア分割体であり、コア分割体２２は、第２コア分割体であり、コア分割体２３は、第３コア分割体であり、コア分割体２４は、第４コア分割体であり、コア分割体２５は、連結コア分割体である。
【００３５】
コア分割体２１とコア分割体２４とは、同形状に形成されている。また、コア分割体２２とコア分割体２３とは、同形状に形成されている。コア分割体２１、２４の厚さ（上下方向の厚さ）とコア分割体２２、２３の厚さ（上下方向の厚さ）とは、等しくなっている。また、コア分割体２１、２４の幅（左右方向の幅）とコア分割体２２、２３の幅（左右方向の幅）とは、等しくなっている。コア分割体２１、２４の長さは、コア分割体２２、２３の長さよりも長くなっている。コア分割体２１〜２４の後端部２１ａ〜２４ａの左右方向の幅は、コア分割体２１〜２４の、後端部２１ａ〜２４ａ以外の部分の左右方向の幅よりも狭くなっている。
【００３６】
コア分割体２５の厚さ（上下方向の厚さ）は、コア分割体２１〜２４の厚さよりも厚くなっている。コア分割体２５には、後端部２１ａ〜２４ａが嵌る４個の凹部２５ａが形成されている。凹部２５ａは、コア分割体２５の上面から下側に向かって窪んでいる。コア分割体２１〜２４は、後端部２１ａ〜２４ａが凹部２５ａに嵌っている状態でコア分割体２５に固定されている。また、コア分割体２１〜２４は、たとえば、凹部２５ａに塗布される接着剤によってコア分割体２５に固定されている。すなわち、５個のコア分割体２１〜２５は、接着剤で固定されて一体化されている。
【００３７】
コイル１２は、ボビン２７を介してコア１１に巻回されている。具体的には、コイル１２は、コア分割体２１〜２４のそれぞれにボビン２７を介して巻回されており、妨害磁界発生装置１０は、４個のコイル１２を備えている。上述のように、コア分割体２１、２４の長さがコア分割体２２、２３の長さよりも長くなっているため、コア分割体２１、２４に巻回されるコイル１２の長さは、コア分割体２２、２３に巻回されるコイル１２の長さよりも長くなっている。また、コア分割体２１、２４に取り付けられるボビン２７の長さは、コア分割体２２、２３に取り付けられるボビン２７の長さよりも長くなっている。
【００３８】
本形態では、コア分割体２１に巻回されるコイル１２とコア分割体２３に巻回されるコイル１２とが１本の導線によって構成され、コア分割体２２に巻回されるコイル１２とコア分割体２４に巻回されるコイル１２とが１本の導線によって構成されている。導線の端部は、回路基板１３に電気的に接続されている。コア分割体２１に巻回されるコイル１２の巻回方向とコア分割体２３に巻回されるコイル１２の巻回方向とは逆方向になっている。コア分割体２２に巻回されるコイル１２の巻回方向とコア分割体２４に巻回されるコイル１２の巻回方向とは逆方向になっている。
【００３９】
コイル１２は、コイル１２に交流を供給する交流電源回路に接続されている。コイル１２に交流が供給されると、磁力線の向きがコア分割体２１の前端面２１ｂおよびコア分割体２３の前端面２３ｂのいずれか一方から前端面２１ｂおよび前端面２３ｂのいずれか他方に向かう妨害磁界と、磁力線の向きがコア分割体２２の前端面２２ｂおよびコア分割体２４の前端面２４ｂのいずれか一方から前端面２２ｂおよび前端面２４ｂのいずれか他方に向かう妨害磁界とが発生する。
【００４０】
具体的には、コイル１２に交流が供給されると、磁力線の向きが前端面２１ｂから前端面２３ｂに向かう方向と前端面２３ｂから前端面２１ｂに向かう方向とに周期的に変動する妨害磁界（交流磁界）と、磁力線の向きが前端面２２ｂから前端面２４ｂに向かう方向と前端面２４ｂから前端面２２ｂに向かう方向とに周期的に変動する妨害磁界（交流磁界）とが発生する。
【００４１】
なお、コイル１２は、コイル１２が接続される直流電源と、この直流電源に対してコイル１２と並列に接続されるコンデンサとを備える駆動回路に接続されても良い。この場合には、駆動回路のコンデンサとコイル１２とによって共振回路が構成される。また、コイル１２は、直流を交流へ変換するインバータ等の回路を介して直流電源に接続されても良い。また、コイル１２に交流電源が接続される場合および直流電源が接続される場合のいずれの場合であっても、磁力線の向きを変動させるタイミングは周期的でなくても良い。
【００４２】
回路基板１３は、ガラスエポキシ基板等のリジッド基板である。回路基板１３は、回路基板１３の厚さ方向と上下方向とが略一致するように配置されている。回路基板１３には、４個のコイル１２が固定されている。具体的には、回路基板１３の下面に４個のコイル１２が接着剤によって固定されている。コア１１、コイル１２およびボビン２７は、回路基板１３の下側に配置されている。コア１１およびボビン２７は、コイル１２を介して回路基板１３に保持されている。回路基板１３の上面には、各種の電子部品が実装されている。
【００４３】
なお、カード２に記録された磁気データを不正に読み取るためのスキミング用の磁気ヘッド８０（以下、「スキミング用磁気ヘッド８０」とする。）は、図１に示すように、カード挿入口３の前方であって、かつ、カード移動路６よりも下側に配置されると想定される。したがって、妨害磁界発生装置１０が発生させる妨害磁界の影響をスキミング用磁気ヘッド８０に対して効果的に与えるために、コア分割体２１〜２４は、前側に向かうにしたがって、わずかに下側に向かうように傾斜している。また、コア分割体２１〜２４がこのように傾斜しているために、回路基板１３の前端は、回路基板１３の後端よりもわずかに下側に配置されており、回路基板１３は、前後方向に対してわずかに傾いている。
【００４４】
ケース本体１６には、回路基板１３を支持する基板支持部１６ａ、１６ｂが形成されている（図３参照）。基板支持部１６ａ、１６ｂの上端面は、平面となっており、基板支持部１６ａ、１６ｂは、回路基板１３の下面に接触して回路基板１３を下側から支持する。基板支持部１６ａは、ケース本体１６の内部の後端側に形成され、基板支持部１６ｂは、ケース本体１６の内部の前端側に形成されている。すなわち、基板支持部１６ａは、回路基板１３の後端部を下側から支持し、基板支持部１６ｂは、回路基板１３の前端部を下側から支持する。
【００４５】
また、基板支持部１６ａは、ケース本体１６の内部の左右の両端の２箇所に形成されている（図４参照）。基板支持部１６ｂは、ケース本体１６の内部の左右の両端側の２箇所に形成されている。２個の基板支持部１６ｂは、２個の基板支持部１６ａよりも左右方向の内側に配置されている。回路基板１３の後端部は、２個の基板支持部１６ａによって支持され、回路基板１３の前端部は、２個の基板支持部１６ｂによって支持されている。
【００４６】
回路基板１３の前後の両端面は、ケース本体１６の内側面に軽く接触しているか、あるいは、回路基板１３の前後の両端面と、ケース本体１６の内側面との間にはわずかな隙間が形成されている。同様に、回路基板１３の左右の両端面は、ケース本体１６の内側面に軽く接触しているか、あるいは、回路基板１３の左右の両端面と、ケース本体１６の内側面との間にはわずかな隙間が形成されている。
【００４７】
カバー１７は、長方形の平板状に形成されている。カバー１７は、カバー１７の厚さ方向と上下方向とが一致するように配置されている。上述のように、カバー１７は、ケース本体１６の上面の開口を塞いでいる。
【００４８】
上述のように、コア１１、コイル１２および回路基板１３は、ケース体１４に収容されている。すなわち、コア１１、コイル１２、回路基板１３およびボビン２７は、ケース体１４に収容されている。また、上述のように、ケース体１４の内部には、樹脂封止部材１５が充填されている。すなわち、コア１１、コイル１２、回路基板１３およびボビン２７は、樹脂封止部材１５に覆われている。樹脂封止部材１５は、ポッティング樹脂である。樹脂封止部材１５の硬度は、比較的低くなっており、たとえば、４２度程度となっている。本形態では、樹脂封止部材１５によって、コア１１、コイル１２および回路基板１３の防水性が確保されているとともに、回路基板１３に実装される電子部品およびコイル１２の放熱性が確保されている。
【００４９】
コア１１、コイル１２およびボビン２７は、ケース本体１６の内側面に接触しないようにケース本体１６の内側面から離れている。すなわち、コア１１、コイル１２およびボビン２７は、ケース体１４の内側面に接触しないようにケース体１４の内側面から離れている。コア１１、コイル１２およびボビン２７と、ケース本体１６の内側面との間には、樹脂封止部材１５の一部が配置されている。すなわち、コア１１、コイル１２およびボビン２７と、ケース体１４の内側面との間には、樹脂封止部材１５の一部が配置されている。なお、上述のように、コア１１、コイル１２およびボビン２７は、回路基板１３の下側に配置されており、カバー１７の下面から離れている。すなわち、コア１１、コイル１２およびボビン２７は、カバー１７の下面に接触していない。
【００５０】
本形態では、コア１１、コイル１２およびボビン２７が取り付けられた回路基板１３の下面を基板支持部１６ａ、１６ｂの上端面に接触させた状態で、ケース本体１６の内部に樹脂封止部材１５を充填して、コア１１、コイル１２、回路基板１３およびボビン２７を樹脂封止部材１５で覆い、その後、カバー１７をケース本体１６の上端部に固定する。回路基板１３の後端面には、回路基板１３の下側へ樹脂封止部材１５を充填するためのディスペンサが挿入される半円弧状の複数の切欠き部１３ａが形成されている。
【００５１】
カードリーダ１では、カード挿入口３にカード２が挿入されてカードリーダ１の内部にカード２が取り込まれる際に、たとえば、カード挿入口３に挿入されたカード２の全体がカード挿入部４の内部に取り込まれるまで、妨害磁界発生装置１０が妨害磁界を発生させる。また、カードリーダ１では、カード挿入口３からカード２が排出される際に、たとえば、ユーザによるカード２の引抜きが可能となる位置まで搬送されたカード２がユーザによって引き抜かれるまで、妨害磁界発生装置１０が妨害磁界を発生させる。すなわち、磁気ヘッド７による磁気データの読取時や記録時には、妨害磁界発生装置１０は妨害磁界を発生させていない。
【００５２】
（本形態の主な効果）
以上説明したように、本形態では、コア１１は、別体で形成される５個のコア分割体２１〜２５によって構成されている。そのため、本形態では、個々のコア分割体２１〜２５の固有振動数を高くして、個々のコア分割体２１〜２５の固有振動数を人間の可聴周波数帯域からずらすことが可能になる。また、本形態では、人間の可聴周波数帯域から固有振動数をずらすことが可能になる５個のコア分割体２１〜２５が一体化されてコア１１が形成されているため、コイル１２を小型化しても、妨害磁界発生装置１０から発生する騒音を抑制することが可能になる。
【００５３】
また、本形態では、コア１１、コイル１２およびボビン２７は、ケース体１４の内側面に接触しないようにケース体１４の内側面から離れている。そのため、本形態では、コア１１、コイル１２およびボビン２７の振動がケース体１４に伝達されるのを抑制することが可能になる。したがって、本形態では、妨害磁界発生装置１０から発生する騒音を効果的に抑制することが可能になる。
【００５４】
また、本形態では、コア１１、コイル１２およびボビン２７と、ケース体１４の内側面との間に、樹脂封止部材１５の一部が配置されているため、樹脂封止部材１５の一部によって、コア１１、コイル１２およびボビン２７がケース体１４の内側面に接触していない状態を確実に維持することが可能になる。なお、本形態では、樹脂封止部材１５の硬度が比較的低くなっているため、コア１１、コイル１２およびボビン２７と、ケース体１４の内側面との間に、樹脂封止部材１５の一部が配置されていても、コア１１、コイル１２およびボビン２７の振動がケース体１４に伝達されるのを抑制することが可能になる。
【００５５】
本形態では、コイル１２は、回路基板１３に固定されている。また、本形態では、コア１１およびボビン２７は、コイル１２を介して回路基板１３に保持されており、ケース本体１６に収容される前のコア１１、コイル１２、回路基板１３およびボビン２７は、一体となっている。そのため、本形態では、コア１１、コイル１２、回路基板１３およびボビン２７をケース本体１６に収容する際の、コア１１、コイル１２、回路基板１３およびボビン２７の取り扱いが容易になる。
【００５６】
本形態では、コア１１、コイル１２およびボビン２７が取り付けられた回路基板１３を支持する基板支持部１６ａ、１６ｂがケース本体１６に形成されている。そのため、本形態では、基板支持部１６ａ、１６ｂを利用して、コア１１、コイル１２およびボビン２７がケース体１４の内側面に接触しないように、コア１１、コイル１２、回路基板１３およびボビン２７をケース体１４に対して位置決めすることが可能になる。したがって、本形態では、コア１１、コイル１２およびボビン２７がケース体１４の内側面から離れた状態を容易に維持しつつ、コア１１、コイル１２およびボビン２７とケース体１４の内側面との間に樹脂封止部材１５の一部を充填することが可能になる。その結果、本形態では、コア１１、コイル１２およびボビン２７とケース体１４の内側面との間に樹脂封止部材１５の一部を充填する際の作業を容易に行うことが可能になる。
【００５７】
本形態では、コア１１を構成する５個のコア分割体２１〜２５が直線の棒状に形成されている。そのため、本形態では、コア分割体２１〜２５を容易に形成することが可能になる。また、本形態では、コア１１、コイル１２および回路基板１３がケース体１４に収容されているため、コア１１、コイル１２および回路基板１３がケース体１４に収容されていない場合と比較して、カードリーダ１に取り付けられる前の妨害磁界発生装置１０の取り扱いが容易になる。
【００５８】
（他の実施の形態）
上述した形態は、本発明の好適な形態の一例ではあるが、これに限定されるものではなく本発明の要旨を変更しない範囲において種々変形実施が可能である。
【００５９】
上述した形態において、コア分割体２１〜２４は、後端部２１ａ〜２４ａが凹部２５ａに圧入されることで、コア分割体２５に固定されていても良い。また、上述した形態では、コア１１は、コイル１２が巻回される４個のコア分割体２１〜２４を備えているが、コア１１は、コイル１２が巻回される２個または３個のコア分割体を備えていても良いし、コイル１２が巻回される５個以上のコア分割体を備えていても良い。
【００６０】
上述した形態において、コア１１は、４個以下のコア分割体によって構成されていても良いし、６個以上のコア分割体によって構成されていても良い。たとえば、コア１１は、図６に示すように、４個のコア分割体３１〜３４によって構成されていても良い。この場合には、たとえば、上述した形態におけるコア分割体２５が４分割されるとともに、４分割されたコア分割体２５のそれぞれがコア分割体２１〜２４のそれぞれと一体になることで、コア分割体３１〜３４のそれぞれが形成されている。また、４個のコア分割体３１〜３４は、接着剤で固定されて一体化されている。
【００６１】
上述した形態において、ケース本体１６に基板支持部１６ａ、１６ｂが形成されていなくても良い。この場合には、たとえば、コア１１、コイル１２およびボビン２７とケース体１４の内側面とが接触しないように、ケース本体１６の底面側に樹脂封止部材１５の一部を注入して硬化させてから、コア１１、コイル１２およびボビン２７が取り付けられた回路基板１３をケース本体１６の内部に配置した後、残りの樹脂封止部材１５をケース体１４の内部に充填する。
【００６２】
また、上述した形態において、コイル１２は、回路基板１３に固定されていなくても良い。この場合にも、たとえば、コア１１、コイル１２およびボビン２７とケース体１４の内側面とが接触しないように、ケース本体１６の底面側に樹脂封止部材１５の一部を注入して硬化させてから、コア１１、コイル１２およびボビン２７をケース本体１６の内部に配置するとともに回路基板１３を配置した後、残りの樹脂封止部材１５をケース体１４の内部に充填する。
【００６３】
上述した形態において、ケース体１４の内部に樹脂封止部材１５が充填されていなくても良い。この場合であっても、回路基板１３の下面を支持する基板支持部１６ａ、１６ｂを利用して、コア１１、コイル１２およびボビン２７がケース体１４の内側面に接触しないようにケース体１４の内部に、コア１１、コイル１２およびボビン２７を配置することが可能になる。したがって、この場合であっても、コア１１、コイル１２およびボビン２７の振動がケース体１４に伝達されるのを抑制することが可能になり、その結果、妨害磁界発生装置１０から発生する騒音を効果的に抑制することが可能になる。
【００６４】
上述した形態において、コア１１、コイル１２およびボビン２７は、ケース体１４の内側面に接触していても良い。また、上述した形態において、コア１１とコイル１２との間の絶縁を確実に行えるのであれば、コア１１にコイル１２が直接巻回されていても良い。また、上述した形態において、妨害磁界発生装置１０は、ケース体１４を備えていなくても良い。
【００６５】
上述した形態において、カード２のおもて面に磁気ストライプが形成されても良いし、カード２の裏面とおもて面との両面に磁気ストライプが形成されても良い。また、上述した形態において、カードリーダ１は、ユーザが手動でカード２を移動させながら、磁気データの読取りや記録を行う手動式のカードリーダであっても良い。
【符号の説明】
【００６６】
１  カードリーダ
２  カード
１０  妨害磁界発生装置
１１  コア
１２  コイル
１３  回路基板
１４  ケース体
１５  樹脂封止部材
１６ａ、１６ｂ  基板支持部
２１  コア分割体（第１コア分割体）
２２  コア分割体（第２コア分割体）
２３  コア分割体（第３コア分割体）
２４  コア分割体（第４コア分割体）
２５  コア分割体（連結コア分割体）
３１〜３４  コア分割体
【図１】
2019175528.tif 000003
【図２】
2019175528.tif 000004
【図３】
2019175528.tif 000005
【図４】
2019175528.tif 000006
【図５】
2019175528.tif 000007
【図６】
2019175528.tif 000008